(57)【要約】【課題】簡易な構成で記録媒体の搬送不良を生じにくくすることができる給紙装置及び画像形成装置を提供することにある。【解決手段】記録媒体の側部が当たることにより記録媒体を搬送方向に案内する案内部と、記録媒体の搬送方向に対して斜めに配置され、記録媒体の搬送により回転される被回転部材と、記録媒体の搬送に応じて前記被回転部材の回転面が前記案内部に近づくように前記被回転部材を回転自在に支持する支持部材とを有する。【選択図】図２
2011098819.tif 000002
【特許請求の範囲】
【請求項１】
記録媒体の側部が当たることにより記録媒体を搬送方向に案内する案内部と、
記録媒体の搬送方向に対して斜めに配置され、記録媒体の搬送により回転される被回転部材と、
記録媒体の搬送に応じて前記被回転部材の回転面が前記案内部に近づくように前記被回転部材を回転自在に支持する支持部材と、
を有する給紙装置。
【請求項２】
前記被回転部材を記録媒体に押付ける押付手段をさらに有する請求項１記載の給紙装置。
【請求項３】
記録媒体を供給した後に前記押付手段による押付けを解除する解除手段をさらに有する請求項２記載の給紙装置。
【請求項４】
前記被回転部材に、記録媒体の搬送による回転に対して負荷を与える負荷付与手段をさらに有する請求項１乃至３いずれか記載の給紙装置。
【請求項５】
前記支持部材を前記案内部から離れる方向に付勢する付勢手段をさらに有する請求項１乃至４いずれか記載の給紙装置。
【請求項６】
記録媒体を給紙する給紙装置と、
前記給紙装置によって供給された記録媒体に画像を形成する画像形成部と、を有し、
前記給紙装置は、記録媒体の側部が当たることにより記録媒体を搬送方向に案内する案内部と、
記録媒体の搬送方向に対して斜めに配置され、記録媒体の搬送により回転される被回転部材と、
記録媒体の搬送に応じて前記被回転部材の回転面が前記案内部に近づくように前記被回転部材を回転自在に支持する支持部材と、
を有する画像形成装置。
【請求項７】
前記被回転部材を記録媒体に押付ける押付手段と、
前記押付手段の記録媒体への押付けを解除する解除手段と、
記録媒体の供給を検知する検知手段と、
前記検知手段により記録媒体を供給したことを検知した後に前記押付手段の記録媒体への押付けを解除するよう前記解除手段を制御する制御手段と、
をさらに有する請求項６記載の画像形成装置。
【発明の詳細な説明】
【技術分野】
【０００１】
本発明は、給紙装置及び画像形成装置に関する。
【背景技術】
【０００２】
特許文献１は、紙案内経路２０に沿う平行案内面４４を有するエッジガイド４１と、シート状の用紙Ｐの表面に接触しながら回転することにより、用紙Ｐを紙案内経路２０に沿って搬送する給紙ローラ２４とを有し、給紙ローラ２４は、平行案内面４４に対して平面視にて傾斜した状態にて用紙Ｐを搬送させて平行案内面４４の上流側端部からなる第２支点Ｐ２に用紙Ｐの側部を接触させ、第２支点Ｐ２にて用紙Ｐを回転させて側部を平行案内面４４に沿わせる構成を開示する。
【先行技術文献】
【特許文献】
【０００３】
【特許文献１】特開２００８−１５６０３４号公報
【発明の概要】
【発明が解決しようとする課題】
【０００４】
本発明の目的は、記録媒体を予め定めた方向に確実に搬送することができる給紙装置及び画像形成装置を提供することにある。
【課題を解決するための手段】
【０００５】
上記目的を達成するために、請求項１に係る本発明は、記録媒体の側部が当たることにより記録媒体を搬送方向に案内する案内部と、記録媒体の搬送方向に対して斜めに配置され、記録媒体の搬送により回転される被回転部材と、記録媒体の搬送に応じて前記被回転部材の回転面が前記案内部に近づくように前記被回転部材を回転自在に支持する支持部材と、を有する給紙装置である。
【０００６】
請求項２に係る本発明は、前記被回転部材を記録媒体に押付ける押付手段をさらに有する請求項１記載の給紙装置である。
【０００７】
請求項３に係る本発明は、記録媒体を供給した後に前記押付手段による押付けを解除する解除手段をさらに有する請求項２記載の給紙装置である。
【０００８】
請求項４に係る本発明は、前記被回転部材に、記録媒体の搬送による回転に対して負荷を与える負荷付与手段をさらに有する請求項１乃至３いずれか記載の給紙装置である。
【０００９】
請求項５に係る本発明は、前記支持部材を前記案内部から離れる方向に付勢する付勢手段をさらに有する請求項１乃至４いずれか記載の給紙装置である。
【００１０】
請求項６に係る本発明は、記録媒体を給紙する給紙装置と、前記給紙装置によって供給された記録媒体に画像を形成する画像形成部と、を有し、前記給紙装置は、記録媒体の側部が当たることにより記録媒体を搬送方向に案内する案内部と、記録媒体の搬送方向に対して斜めに配置され、記録媒体の搬送により回転される被回転部材と、記録媒体の搬送に応じて前記被回転部材の回転面が前記案内部に近づくように前記被回転部材を回転自在に支持する支持部材と、を有する画像形成装置である。
【００１１】
請求項７に係る本発明は、前記被回転部材を記録媒体に押付ける押付手段と、前記押付手段の記録媒体への押付けを解除する解除手段と、記録媒体の供給を検知する検知手段と、前記検知手段により記録媒体を供給したことを検知した後に前記押付手段の記録媒体への押付けを解除するよう前記解除手段を制御する制御手段と、をさらに有する請求項６記載の画像形成装置である。
【発明の効果】
【００１２】
請求項１に係る本発明によれば、記録媒体を予め定めた方向に確実に搬送することができる給紙装置を提供することができる。
【００１３】
請求項２に係る本発明によれば、請求項１に係る本発明の効果に加えて、本構成を有していない場合に比較して、より確実に記録媒体を予め定めた方向に搬送することができる。
【００１４】
請求項３に係る本発明によれば、請求項２に係る本発明の効果に加えて、本構成を有していない場合に比較して、簡易な構成で、被回転部材を初期状態に戻すことができる。
【００１５】
請求項４に係る本発明によれば、請求項１乃至３いずれかに係る本発明の効果に加えて、記録媒体を搬送する力が強い場合にも、本構成を有していない場合に比較して、記録媒体を予め定めた方向に確実に搬送することができる。
【００１６】
請求項５に係る本発明によれば、請求項１乃至４いずれかに係る本発明の効果に加えて、簡易な構成で、被回転部材を初期状態に戻すことができる。
【００１７】
請求項６に係る本発明によれば、記録媒体を予め定めた方向に確実に搬送することができる画像形成装置を提供することができる。
【００１８】
請求項７に係る本発明によれば、請求項６に係る本発明の効果に加えて、より確実に記録媒体を予め定めた方向に搬送し、記録媒体の搬送状態に応じて、被回転部材を初期状態に戻すことができる画像形成装置を提供することができる。
【図面の簡単な説明】
【００１９】
【図１】本発明の一実施形態の画像形成装置１０を示す側面図である。
【図２】本発明に係る実施形態に用いた給紙装置１８を上方からみた図を示す。
【図３】本発明に係る実施形態に用いた斜行ロール２５を上方からみた図を示す。
【図４】本発明に係る実施形態に用いた斜行ロール２５を側方からみた図であり、（ａ）は記録媒体供給時の様子を示し、（ｂ）は記録媒体供給後の様子を示す。
【図５】本発明に係る実施形態に用いた給紙装置１８の動作Ｓ１０を示す。
【図６】本発明に係る実施形態に用いた給紙装置１８を上方からみた図であり、記録媒体を給紙する様子を示す。
【図７】斜行ロール２５が記録媒体に加える力と、斜行ロール２５の傾きの関係を示す模式図である。
【発明を実施するための形態】
【００２０】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の記録媒体供給装置の一例である給紙装置１８、１８が配置されている。
【００２１】
それぞれの給紙装置１８は、記録媒体Ｓが積層されて収納される給紙カセット２２を有する。給紙カセット２２の奥端近傍上部には送り出しロール２４が配置され、この送り出しロール２４の記録媒体搬送方向下流側に捌き部材の一例であるリタードロール２６及び搬送部材の一例であるフィードロール２８が配置されている。これら送り出しロール２４、リタードロール２６及びフィードロール２８は、画像形成装置本体１２に設けられていてもよし、給紙カセット２２に設けられていてもよい。
【００２２】
主搬送路３２は、フィードロール２８から排出口３４までの用紙通路であり、この主搬送路３２は、画像形成装置本体１２の裏側（図１の右側面）近傍にあって、最下端の給紙装置１８から後述する定着装置３６まで略鉛直に形成されている部分を有する。この主搬送路３２の定着装置３６の用紙搬送方向上流側に後述する転写装置４２と像保持体４４が配置され、さらに転写装置４２と像保持体４４の用紙搬送方向上流側にレジストロール３８が配置されている。さらに、主搬送路３２の排出口３４の近傍には排出ロール４０が配置されている。
【００２３】
したがって、給紙装置１８の給紙カセット２２から送り出しロール２４により送り出された記録媒体Ｓは、リタードロール２６及びフィードロール２８の協働により捌かれて最上部の記録媒体のみ主搬送路３２に導かれ、レジストロール３８により一時停止され、タイミングをとって後述する転写装置４２と像保持体４４との間を通って現像剤像が転写され、この転写された現像剤像が定着装置３６により定着され、排出ロール４０により排出口３４から排出部１６へ排出される。
【００２４】
ただし、両面印刷の場合は、反転路に戻される。即ち、主搬送路３２の排出ロール４０の手前は二股に分かれ、その分かれた部分に切換装置４６が設けられていると共に、分けられた部分からレジストロール３８まで戻る反転路４８が形成されている。この反転路４８には搬送ロール５０ａ〜５０ｃが設けられており、両面印刷の場合には、切換装置４６が反転路４８を開く側に切り換えられ、排出ロール４０に用紙の後端手前がかかる時点で排出ロール４０が反転し、用紙が反転路４８に導かれ、レジストロール３８、転写装置４２と像担持体４４及び定着装置３６を通って排出口３４から排出部１６へ排出されるものである。
【００２５】
像形成手段１４は、例えば電子写真方式のもので、感光体からなる像保持体４４と、この像保持体４４を帯電する例えば帯電ロールからなる帯電装置５６と、帯電装置５６により帯電された像保持体４４に、光により潜像を書き込む光書込み装置５８と、この光書込み装置５８により形成された像保持体４４の潜像を現像剤により可視化する現像装置６０と、この現像装置６０による現像剤像を用紙２０に転写する例えば転写ロールからなる転写装置４２と、像保持体４４に残存する現像剤をクリーニングする例えばブレードからなるクリーニング装置６２と、転写装置４２により転写された記録媒体Ｓ上の現像剤像を記録媒体Ｓに定着させる定着装置３６とから構成されている。
【００２６】
プロセスカートリッジ６４は、像保持体４４、帯電装置５６、現像装置６０及びクリーニング装置６２を一体化したものである。
【００２７】
制御部３０は、画像形成装置本体１２に配設され、画像形成装置１０を構成する各部を制御する。
【００２８】
次に、給紙装置１８について詳述する。
図２は、給紙装置１８を上方からみた構成図である。
図２に示すように、給紙装置１８は、積層された状態で記録媒体Ｓを収納する給紙カセット２２を有する。
この給紙カセット２２内の両側端には記録媒体の搬送方向と直交する方向における記録媒体の位置ずれを防止する案内部であるサイドガイド２２ａ、２２ｂが、下側端には記録媒体の搬送方向における記録媒体の位置ずれを防止するエンドガイド２２ｃが形成されている。サイドガイド２２ａとサイドガイド２２ｂは記録媒体の幅よりも広い間隔を有して並行して設けられている。サイドガイド２２ａには、記録媒体の搬送により回転される被回転部材である斜行ロール２５が設けられている。斜行ロール２５は、サイドガイド２２ａから送り出しロール２４側に向けて、すなわち、記録媒体の搬送方向に対して斜めに配置されており、給紙カセット２２内の最上位に位置する記録媒体Ｓの側部をサイドガイド２２ａに寄せて搬送する。また、斜行ロール２５の記録媒体搬送方向下流側には、エンドガイド２２ｃと並行に送り出しロール２４が設けられ、この送り出しロール２４のさらに記録媒体搬送方向下流側には、フィードロール２８がリタードロール２６に対向して設けられている。
また、フィードロール２８及びリタードロール２６の記録媒体搬送方向下流側の主搬送路３２であり、レジストロール３８の記録媒体搬送方向上流側には、記録媒体の供給を検知する検知手段である検知センサ２３が設けられている。検知センサ２３は、例えば、給紙開始後、所定時間内に検知センサ２３が記録媒体を検出しないことで、記録媒体の供給終了を検出する。
【００２９】
図３は、斜行ロール２５を上方からみた構成図である。
図４は、斜行ロール２５を側方からみた図であり、（ａ）は記録媒体供給時の様子を示し、（ｂ）は記録媒体供給後の様子を示す。
斜行ロール２５は、ロール本体７０と、記録媒体の搬送による回転に対して負荷を与える負荷付与手段であるトルクリミッタ８０と、ロール本体７０とトルクリミッタ８０を同軸で支持する軸７２と、この軸７２を支持する支持部材であるアーム７４で構成される。アーム７４はコの字形状で軸７２を回転自在に支持している。また、斜行ロール２５は、記録媒体の搬送に応じて、ロール本体７０の回転面が下端部７４ａを回転支点としてサイドガイド２２ａに近づくように回転自在に支持されている。また、アーム７４の下端部７４ａ周辺にはアーム７４をサイドガイド２２ａから離れる方向に付勢する付勢手段の一例であるスライドスプリング７６が設けられ、斜行ロール２５は、記録媒体搬送方向と直交する方向に付勢されている。また、下端部７４ａの上方には、斜行ロール２５を記録媒体に押付ける押付手段の一例であるスプリング７７が設けられている。すなわち、斜行ロール２５は、記録媒体搬送方向と直交する方向にスライドスプリング７６によって支えられていると共に、上方に取り付けられたスプリング７７によって、記録媒体Ｓに押し付けられている。
また、アーム７４の下面には、スプリング７７による押付けを解除する解除手段の一例であるソレノイド７８が設けられている。ソレノイド７８には制御部３０が接続され、図４に示すように、ソレノイドの作用により磁界が発生してアーム７４は持ち上げられ、斜行ロール２５は記録媒体Ｓから離れて持ち上げられる。これにより、記録媒体Ｓへの押し付けは解除される。
【００３０】
次に、記録媒体を給紙するときの給紙装置１８の動作の一例について説明する。
図５には、給紙装置１８の動作（Ｓ１０）の一例が示されている。
図６は、給紙装置１８を上方からみた図であり、最上位に位置する記録媒体Ｓ１を給紙する様子を示す。
図６（ａ）に示すように、記録媒体給紙前は、記録媒体Ｓ１とサイドガイド２２ａの間には隙間Ａがある。斜行ロール２５は、下端部７４ａを回転支点として、スライドスプリング７６及びスプリング７７の作用により、サイドガイド２２ａから送り出しロール２４側に傾いて、記録媒体Ｓ１に押し付けられている。
次に、ステップ１００（Ｓ１００）において、制御部３０は、送り出しロール２４及びフィードロール２８を回転させ、最上位の記録媒体Ｓ１の供給が開始される。なお、記録媒体Ｓ１の搬送力により、斜行ロール２５の回転が開始される。
次に、ステップ１０２（Ｓ１０２）において、制御部３０は、検知センサ２３の検出結果に基づいて記録媒体の供給が終了したか否かを判定する。制御部３０は、記録媒体の供給が終了していないと判定した場合には、給紙装置１８における記録媒体Ｓ１の供給を継続させ、記録媒体の供給が終了していると判定した場合にはステップ１０４（Ｓ１０４）の処理に進む。ここで、斜行ロール２５が記録媒体搬送方向に対して斜めに配置されているため、図６（ｂ）に示すように、記録媒体Ｓ１には時計回りの力と、記録媒体搬送方向の力が作用する。さらに、斜行ロール２５はトルクリミッタ８０を有しているため、トルクリミッタの作用により送り出しロール２４の記録媒体搬送速度よりも遅く回転し、記録媒体Ｓ１に回転負荷を与え、記録媒体Ｓ１に対して斜行ロール２５がブレーキ状態となる。そして、記録媒体は時計回りに回転されて、サイドガイド２２ａに寄せられる。次に、図６（ｃ）に示すように、さらに記録媒体Ｓ１が搬送されることで、斜行ロール２５のアーム７４が下端部７４ａを回転支点としてサイドガイド２２ａ方向に回転し、隙間Ａはなくなり、記録媒体Ｓ１はサイドガイド２２ａに沿って搬送される。ここで、斜行ロール２５の傾きは、上述の図６（ａ）及び（ｂ）に比べて小さくなるため、記録媒体Ｓ１を時計回りに回転させる力は小さくなる。すなわち、斜行ロール２５の傾きが上述の図６（ａ）及び（ｂ）に比べて、さらに小さくなることで、記録媒体Ｓ１に対する回転負荷も小さくなり、搬送方向と直交する方向の記録媒体の位置を安定させて、記録媒体が搬送される。
次に、ステップ１０４（Ｓ１０４）において、制御部３０は、最上位の記録媒体Ｓ１の供給が終了すると、送り出しロール２４及びフィードロール２８の回転を停止させ、記録媒体Ｓ１の供給は終了される。
次に、ステップ１０６（Ｓ１０６）において、制御部３０は、ソレノイド７８のスイッチをＯＮとし、アーム７４下に設けられたソレノイドの作用により、アーム７４を上方向にリフトさせ、斜行ロール２５は図４（ｂ）に示すように持ち上げられ、斜行ロール２５は記録媒体Ｓ１から離間される。これにより、トルクリミッタ８０による回転負荷が解放されて、スライドスプリング７６の作用により図６（ｄ）に示すように、アーム７４は反時計方向に回転し、元の位置に戻る。
次に、ステップ１０８（Ｓ１０８）において、制御部３０は、所定時間経過したか否かを判定する。制御部３０は、所定時間が経過していないと判定した場合には、ソレノイド７８のスイッチＯＮ状態を継続させ、所定時間が経過していると判定した場合にはステップ１１０（Ｓ１１０）の処理に進む。
次に、ステップ１１０（Ｓ１１０）において、制御部３０は、ソレノイド７８のスイッチをＯＦＦとし、斜行ロール２５は記録媒体Ｓ２に接触する位置に移動される。
【００３１】
次に、斜行ロール２５が記録媒体に加える力と、斜行ロール２５の傾きの関係について詳述する。
図７は、斜行ロール２５が記録媒体に加える力と、斜行ロール２５の傾きの関係を示す模式図である。
図３に示すように、斜行ロール２５は、アーム７４の下端部７４ａを回転支点として斜行ロール２５の回転面がサイドガイド２２ａに近づくように移動される。
記録媒体の搬送が開始されると、斜行ロール２５には記録媒体搬送方向に搬送力Ｆ１１が作用する。斜行ロール２５はサイドガイド２２ａとなす角θ１で傾いてアーム７４によって支持されることでアーム方向に分力Ｆ１２を作用させる。そして、搬送力Ｆ１１及び分力Ｆ１２により、斜行ロール２５は、サイドガイド２２ａに記録媒体の側端を突き当てる方向に搬送力Ｆ１を発生させる。
そして、さらに記録媒体の搬送がされると、斜行ロール２５は、アーム７４の下端部７４ａを回転支点として移動され、サイドガイド２２ａとのなす角はθ２となる。このときの記録媒体搬送方向の搬送力をＦ２１とすると、アーム方向に分力Ｆ２２が作用する。そして、搬送力Ｆ２１及び分力Ｆ２２により、斜行ロール２５は、サイドガイド２２ａに記録媒体の側端を突き当てる方向に搬送力Ｆ２を発生させる。
すなわち、記録媒体がサイドガイド２２ａに寄せられて、斜行ロール２５の回転面がサイドガイド２２ａに近づけば近づくほど、サイドガイド２２ａに記録媒体の側端を突き当てる方向に作用する力は小さくなり、すなわち搬送負荷は小さくなり速やかに次のロールへ搬送される。
【００３２】
なお、本実施の形態に係る給紙装置１８を積層された状態で記録媒体Ｓを収納する給紙カセット２２に設けた例について説明したが、これに限らず、手差しトレイ等に設けた場合にも適用できる。また、本実施の形態においては、斜行ロール２５にトルクリミッタ８０を備えた構成について説明したが、これに限らず、記録媒体に対して斜行ローラ２５から搬送負荷を十分に与えられれば、設けなくてもよい。
【符号の説明】
【００３３】
１０    画像形成装置
１２    装置本体
１８    給紙装置
２２    給紙カセット
２２ａ、２２ｂ    サイドガイド
２３    検知センサ
２４    送り出しロール
２５    斜行ロール
２６    リタードロール
２８    フィードロール
７０    ロール本体
７４    アーム
７６、７７    スプリング
７８    ソレノイド
８０    トルクリミッタ
【図１】
2011098819.tif 000003
【図２】
2011098819.tif 000004
【図３】
2011098819.tif 000005
【図４】
2011098819.tif 000006
【図５】
2011098819.tif 000007
【図６】
2011098819.tif 000008
【図７】
2011098819.tif 000009